(57)【特許請求の範囲】
【請求項１】
基部とＬＥＤ光源部と回転部とを備える基体部と、
前記基部上に着脱自在に載置され、前記回転部とともに回転する台座と、
前記台座に着脱自在に嵌合される筒部と、
を有し、
前記ＬＥＤ光源部と前記回転部とが、独立し、
前記ＬＥＤ光源部が複数のＬＥＤを備え、該ＬＥＤが偏在していることを特徴とする行灯。
【請求項２】
前記筒部が多面体であり、隣接する面を接続する辺で折り畳むことが可能であることを特徴とする請求項１に記載の行灯。
【請求項３】
前記筒部が円筒であり、可撓性を有することを特徴とする請求項１に記載の行灯。
【請求項４】
前記筒部に絵柄が記載されていることを特徴とする請求項１〜３のいずれかに記載の行灯。
【請求項５】
前記筒部が上下に複数分割された絵柄配置部を有し、前記ＬＥＤ光源部が前記分割された絵柄配置部に対して指向性を有することを特徴とする請求項４に記載の行灯。
【請求項６】
儀式用であることを特徴とする請求項１〜５のいずれかに記載の行灯。
【発明の詳細な説明】
【技術分野】
【０００１】
本発明は、行灯に関する。
【背景技術】
【０００２】
火袋に絵柄を投影して意匠性を高めた行灯が、祭り、ひな祭り、七夕、お盆、クリスマス、葬儀等の儀式用、さらにはインテリアや宣伝広告用として広く用いられている。
特許文献１には、火袋内に回転筒を設け、白熱電球の点灯によって発生する上昇気流を利用して回転筒を回転する行灯が提案されている。特許文献１に記載の行灯は、回転筒の上部に回転羽根を備えており、白熱電球が点灯して生じる熱により上昇気流を生じ、この上昇気流が回転羽根を通過することで回転筒が回転するものである。特許文献１に記載の行灯は、発熱量が大きく高温に達する白熱電球を用いるため、火災の危険性がある。また消費電力が大きい、白熱電球の交換頻度が高いという問題がある。
【先行技術文献】
【特許文献】
【０００３】
【特許文献１】実用新案登録第３０９５０６１号公報
【発明の概要】
【発明が解決しようとする課題】
【０００４】
本発明は、筒部が回転することにより、変化のある装飾性の高い行灯を提供する。
【課題を解決するための手段】
【０００５】
１．基部とＬＥＤ光源部と回転部とを備える基体部と、
前記基部上に着脱自在に載置され、前記回転部とともに回転する台座と、
前記台座に着脱自在に嵌合される筒部と、
を有し、
前記ＬＥＤ光源部と前記回転部とが、独立していることを特徴とする行灯。
２．前記ＬＥＤ光源部が複数のＬＥＤを備え、該ＬＥＤが偏在していることを特徴とする１．に記載の行灯。
３．前記筒部が多面体であり、隣接する面を接続する辺で折り畳むことが可能であることを特徴とする１．または２．に記載の行灯。
４．前記筒部が円筒であり、可撓性を有することを特徴とする１．または２．に記載の行灯。
５．前記筒部に絵柄が記載されていることを特徴とする１．〜４．のいずれかに記載の行灯。
６．前記筒部が上下に複数分割された絵柄配置部を有し、前記ＬＥＤ光源部が前記分割された絵柄配置部を選択的に照らし出すことを特徴とする５．に記載の行灯。
７．儀式用であることを特徴とする１．〜６．のいずれかに記載の行灯。
【発明の効果】
【０００６】
本発明の行灯は、筒部を回転させることで絵柄を変化させながら表示することができるので装飾性が高い。基体部と台座と筒部とは着脱自在であるため、取り外してコンパクトに収納することができる。行灯を構成する基体部、台座、筒部のうち、筒部が最も嵩張るが、多面体からなり、隣接する面を接続する辺で折り畳むことができる筒部を用いると、コンパクトに収納することができる。また、円筒からなり、可撓性を有する筒部を用いると、巻回してコンパクトに収納することができる。
本発明の行灯は、ＬＥＤ光源部と回転部とが独立しているため、回転させながら点滅させることができる。点滅の周期と回転スピードとを調整することにより、筒体に記載された絵柄のうち、特定の絵柄のみを選択的に照らし出すことができる。
お盆等の儀式用として用いた場合、故人に由来する情景等を影絵風に映し出すことができる。筒部が多面体である場合は、面毎に絵柄を変えることにより物語性を出すことができる。筒部が円筒である場合は、連続的に異なる絵柄を映し出すことで動きや時間の流れを表現することができる。筒部が上下に複数分割された絵柄配置部を有する場合は絵柄の数を増やすことができ、一部の絵柄配置部のみを選択的に照らし出すことにより、複雑な表現が可能である。
【図面の簡単な説明】
【０００７】
【図１】行灯の一実施形態を示す図。
【図２】基体部を示す図。
【図３】台座を示す図。
【図４】台座を基部上に載置した状態を示す図。
【図５】筒部を示す図。
【図６】筒部を台座上に嵌合した状態を示す拡大図。
【図７】五面体である筒部を展開した状態を示す図（ａ）。展開した筒部を蛇腹折りした図（ｂ）。
【発明を実施するための形態】
【０００８】
本発明は、中心にＬＥＤ光源部を、その外周に回転する筒部を配置し、この回転する筒部に絵柄が映し出される装飾性の高い行灯である。
以下、本発明の行灯を図に従って説明する。本発明の行灯の一実施形態を図１に示す。本発明の行灯１は、基体部１０と台座２０と筒部３０とを有する。なお、本発明の行灯１は、以下に説明する一実施形態に限定されるものではない。
【０００９】
図２に基体部１０を示す。
基体部１０は、駆動部と制御部が内蔵された円錐台状の基部１１と、基部１１の中心から立設した棒状のＬＥＤ光源部１２と、ＬＥＤ光源部１２を中心とする円盤状であり、基部１１の上面に位置する回転部１３とを備える。基部１１は、円錐台状であり、その内部には回転部１３を回転させる駆動部と、ＬＥＤ光源部１２と回転部１３とを制御する制御部とが内蔵されている。また、ＬＥＤ光源部１２を操作する光源スイッチ１４と、回転部１３を操作する回転スイッチ１５とを有する。さらに、本発明の行灯１は、光源としてＬＥＤを用いているため火災の危険性は少ないが、転倒時に自動的に停止するように、基部１１の底部に制御スイッチを設けてもよい。
ＬＥＤ光源部１２は、基部１１の中心から立設しており、複数個のＬＥＤ１６が一方向を中心に偏在して配置されている。壁面等の照らす必要のない側にＬＥＤ１６を配置しないことにより、ＬＥＤ１６の個数を減らすことができ低コストである。なお、ＬＥＤの個数や配置等はこれに制限されるものではない。例えば、ＬＥＤ１６の配置によって、照射光に濃淡が出るようにして光の分布を制御することができる。
【００１０】
ＬＥＤ１６の種類は特に制限されないが、赤、緑、青の３原色のＬＥＤがパッケージされた白色ＬＥＤを用いることが好ましい。白色ＬＥＤは、各原色のＬＥＤに流す電流を調整することで、色調や光量を制御することができ、使用する時間帯や、使用者の好み等に応じて、電球色、昼白色、蛍光色等に変更することができ、また、その明るさも変更することができる。さらに、赤色、緑色、青色、及びこれらを加色混合して得られる色調の光を出射することができる。色調、光量のいずれか、または両方を変化させることで様々な表現が可能であるため、視覚的効果を高めたり、ロウソクの灯りのような揺らぎを表現したりすることもできる。
【００１１】
回転部１３はＬＥＤ光源部１２を中心とする円盤状であり、基部１１の上面に位置する。回転部１３は基部１１に内蔵された駆動部により、ＬＥＤ光源部１２を中心として回転する。回転部１３が回転する速さは連続的、または間欠的に調整することができる。回転部１３にはピン１７が設けられており、下記で詳述するが、このピン１７により、台座２０が回転部１３とともに回転する。
【００１２】
ＬＥＤ光源部１２と回転部１３とは独立している。本発明の行灯はＬＥＤ光源部１２と回転部１３とを別々に操作することが可能であるため、筒部３０を回転させながらＬＥＤ光源部１２を常に点灯するだけでなく、筒部３０を回転させながらＬＥＤ光源部１２を点滅することもできる。ＬＥＤ光源部１２を光源スイッチ１４、回転部１３を回転スイッチ１５で操作することにより、ＬＥＤの色調、光量、点灯・消灯のタイミング等と回転部１３の回転スピード等とを、より細かく調整することができる。ＬＥＤ光源部１２を複数のスイッチで制御してもよく、ＬＥＤ光源部１２と回転部１３とを単一のスイッチで制御してもよい。複数のスイッチでＬＥＤの色調、光量、点灯・消灯のタイミング等のそれぞれを制御すると、多様な表現が可能となる。ＬＥＤ光源部１２と回転部１３とを単一のスイッチで制御すると、装置構成の簡略化とコストの低減となる。
【００１３】
台座２０の斜視図を図３に、基部１１上に台座２０を載置した状態を図４に示す。図４では、基部１１が見えるように台座２０の一部を省略して示す。図３に示す台座２０の水平方向断面形状は、五角形であるが、台座２０の形状はこれに限定されるものではなく、例えば水平方向断面形状は、円形、三角形、六角形、八角形等であってもよい。台座２０を形成するための材料は特に限定されず、アルミ等の金属、紙、プラスチック等を用いることができる。これらの中で、薄さと強度とに優れ、色や形状等のデザインの自由度が高いため、ポリエチレン、ポリプロピレン、ポリスチレン等のプラスチックを用いることが好ましい。
台座２０は、中央にＬＥＤ光源部１２を通す穴２１と、上記した回転部１３に設けられたピン１７を通す小孔２２と、穴２１を中心として円錐状である基部１１上端の径よりも大きな径を有し、基部１１の上端を収容する環状の被嵌部２３と、周縁部に後述する筒部３０が嵌合する凸部２４を有する。
【００１４】
図４に示すように、台座２０は、穴２１にＬＥＤ光源部１２が通り、小孔２２にピン１７が通り、被嵌部２３が基部１１の上端に嵌合するように基部１１上に着脱自在に載置される。回転部１３が回転すると、台座２０はピン１７に動かされて回転部１３とともに回転する。この際、被嵌部２３が基部１１の上面に嵌合しているため、台座２０は回転しても基部１１から外れることはない。下記で詳述するように、凸部２４外面には筒部３０が嵌合される。回転部１３が回転すると、台座２０と筒部３０とが回転する。なお、基部１１上に着脱自在に載置された台座２０を回転部１３とともに回転させるための構成はピン１７と小孔２２に限定されず、磁石、両面テープ、ピン、嵌合溝等、任意の構成を採用することができる。また、筒部２０と台座３０との結合は、着脱自在な構造であればこの例示に限定されない。例えば、台座２０の周縁部に溝を設け、この溝に筒部３０の下端を差し込む構造が挙げられる。また、下記図６に示すように筒部３０を凸部２４外面に嵌合し、さらにその上に固定バンドで固定すると安定性が向上する。
【００１５】
筒部３０の斜視図を図５に、筒部３０が台座２０に嵌合された部分の拡大図を図６に示す。図６では、筒部３０が凸部２４外面に嵌合していることが理解できるように、筒部３０の一部を省略して示す。図５に示す筒部３０の水平方向断面形状は五角形であるが、筒部３０の水平方向断面形状は凸部２４の水平方向断面と相似形であれば特に制限されず、円筒、三面体、六面体、八面体等が挙げられる。
筒部３０の下端は台座２０の凸部２４よりもわずかに大きな径を有しており、凸部２４外面に着脱自在に嵌合される。筒部３０は、下端が台座２０の凸部２４外面に嵌合されることによりその形状が保持される。筒部３０の内部上方には、天板３１や型枠等が設置され、筒部３０の下端を台座２０、筒部３０の上方を天板３１や型枠で固定することにより、筒部３０の形状を保つことができる。天板３１の光透過性、光拡散性、反射性、色調等を調整することにより、上方へ照射される光の光量、色調等を制御することができる。天板３１の代わりに型枠を設置した際は、上方への光量を増やすことができるため、壁や天井等に反射する間接光を増やすことができる。
【００１６】
筒部３０は台座２０の凸部２４外面に嵌合される。図６は基体部１０を示していないが、使用時には台座２０は基部１１上に載置され、筒部３０はＬＥＤ光源部１２を覆う。筒部３０は透光性と光拡散性とを有しており、ＬＥＤ光源部１２からの光を拡散して点灯時のライトイメージを目立ちにくくし、また、輝度ムラを低減して筒部３０全体を明るくする。筒部３０を形成する材料は透光性と光拡散性を有するものであれば特に制限されず、紙、プラスチック等を用いることができる。薄さと強度とに優れているため、ポリエチレン、ポリプロピレン、ポリスチレン等のプラスチック材料、または、樹脂でコートされた紙から形成することが好ましい。光拡散性を強くするために、内部に拡散剤を含む、表面に凹凸を有するのいずれか、または両方を満たすことがより好ましい。さらに、必要に応じて筒部３０とＬＥＤ光源部１２との間に、光拡散性を有するカバー等を設置してもよい。
【００１７】
筒部３０は、絵柄３２を記載することができる。また、天板３１にも絵柄を記載してもよい。絵柄３２を記載することにより、行灯の意匠性を高めることができる。絵柄３２は特に制限されず、花鳥風月、動植物、幾何学図形、文字等の模様が挙げられる。また、故人に由来する写真や情景を用いることもできる。筒部３０は着脱自在であるため、異なる絵柄３２が記載された筒部３０と交換することで、季節、天候、気分、祭事等に応じて、映し出す絵柄を手軽に変更することができる。
絵柄３２が記載された筒部３０を用いた行灯は、回転部１３が回転すると筒部３０に記載された絵柄３２が次々に映し出される。絵柄３２が回転しながら映し出されると、視認者に動的な印象を与えることができ、視覚的効果が高いため、祭壇、インテリア、看板等に好適に利用することができる。本発明の行灯１は、ＬＥＤ光源部１２と回転部１３とが独立しているため、ＬＥＤ光源部１２の点滅のタイミングと、筒部３０の回転スピードとを調整することにより、筒部３０に記載された複数の絵柄３２の内、特定の絵柄３２のみを選択的に照らし出すことができる。
【００１８】
筒部３０が多面体である場合は、各面毎に題材の異なる絵柄３２を記載することにより物語性を出すことができる。この際、筒部３０の回転に合わせて、ＬＥＤ光源部１２の点灯・消灯のタイミングを調整すると、画面が切り替わった印象を与えることができるため、例えば人生の様々な節目の写真を物語的に映し出すことができる。
筒部３０が円筒である場合は、連続的に異なる絵柄３２を映し出すことができるため、動きや時間の流れを表現をするのに適している。多面体では絵柄の数はその面数に制限されるが、円筒では絵柄３２の数を制限なく増やすことができるため、いわゆるパラパラマンガと呼ばれる残像で絵柄２３が動いているような視覚効果を与えることもできる。
【００１９】
絵柄３２は筒部３０の高さ方向全面に記載してもよいが、筒部３０の上下を複数の絵柄配置部３３に分割し、それぞれの絵柄配置部３３に異なる絵柄３２を記載してもよい。この際、絵柄配置部３３以外の部分が光透過性を有さなければ、絵柄３２を強調して映し出すことができる。ＬＥＤは光に指向性があり、方向により光量が大きく異なる。そのため、異なる絵柄配置部３３を主として照らし出すＬＥＤを独立して点灯・消灯するように制御することで、複数の絵柄配置部３３のうち一部の絵柄配置部３３のみを選択的に照らし出すことができる。このような構成にすることで、より多くの絵柄３２を映し出したり、複雑な表現を行ったりすることができる。
【００２０】
多面体形状である筒部３０が、隣接する面を接続する辺で折り畳むことができると、台座２０から取り外した筒部３０をコンパクトに収納することができる。この際、筒部３０が隣接する面を接続する辺で展開可能であると、筒部３０を蛇腹折りしてさらにコンパクトに収納することができる。図７（ａ）に五面体である筒部３０を展開した図、図７（ｂ）に展開した筒部３０を蛇腹折りした図を示す。図７に示す展開した筒部３０は、６つの面ａ〜ｆを有するが、両端の面である面ａと面ｆとが重なるように組み立てられて五面体の筒部３０となる。多面体の一面が重なり合って筒部３０を形成することにより、多面体形状を綺麗に保つことができる。外側に位置する面ａの側端が面ｆから浮かび上がらないように、面ａの側端部内側を粘着テープ、両面テープ、面ファスナー等により面ｆに固定する。面ｆは、面ａの絵柄配置部３３よりも大きな開口部３４を有しており、面ａの絵柄配置部３３は面ｆと重なっても、面ｂ〜ｅと同じの明るさで映し出される。
円筒である筒部３０が可撓性を有すると、折り曲げてコンパクトに収納することができる。この際、筒部３０が円筒の側面の一直線で展開可能であると、巻回してよりコンパクトに収納することができる。円筒を展開した筒部は、円周の６分の１以上が重なるようにして円筒形に組み立てると、筒部３０の円筒形状を綺麗に保つことができる。この際、筒部３０の端部が浮かび上がらないように、上記と同様に筒部の側端内側を固定する。また、展開した筒部３０の両端のうち、組み立てた際に内側に位置する部分は、上記と同様に開口部を有する。
【００２１】
儀式用の行灯は、平時には収納され、必要時にのみ用いられるものである。また、複数個を備えておくことが求められる。さらに、祭りや葬儀等の儀式に応じて、色調や絵柄に異なるものが求められる。本発明の行灯は、コンパクトに収納することができ、ＬＥＤの色調を調整したり、筒部３０を交換することで、様々な場面に用いることができるため、祭り、ひな祭り、七夕、お盆、クリスマス、葬儀等の儀式用として好適である。
【符号の説明】
【００２２】
１    行灯
１０  基体部
１１  基部
１２  ＬＥＤ光源部
１３  回転部
１４  光源スイッチ
１５  回転スイッチ
１６  ＬＥＤ
１７  ピン
２０  台座
２１  穴
２２  小孔
２３  被嵌部
２４  凸部
３０  筒部
３１  天板
３２  絵柄
３３  絵柄配置部
３４  開口部
【要約】
【課題】筒部が回転することにより、変化のある装飾性の高い行灯を提供する。
【解決手段】基部とＬＥＤ光源部と回転部とを備える基体部と、
前記基部上に着脱自在に載置され、前記回転部とともに回転する台座と、
前記台座に着脱自在に嵌合される筒部と、
を有し、
前記ＬＥＤ光源部と前記回転部とが、独立していることを特徴とする行灯。
【選択図】図１【図１】
0005852283.tif 000002
【図２】
0005852283.tif 000003
【図３】
0005852283.tif 000004
【図４】
0005852283.tif 000005
【図５】
0005852283.tif 000006
【図６】
0005852283.tif 000007
【図７】
0005852283.tif 000008